(57)【要約】【目的】文書の更新情報を携帯電話で確認できるようにする。【構成】文書の更新内容を表す更新内容データを文書ファイルに格納できる文書作成用ソフトウエアを用いて，ＰＣ20において文書ファイルが生成される。生成された文書ファイルが文書ファイル・サーバ１に送信される。文書ファイル・サーバ１において文書ファイルから更新内容データが抽出される。携帯電話30からリクエストがあると，文書ファイルと更新内容データとが文書ファイル・サーバ１から携帯電話30に送信される。携帯電話30の表示画面に，文書ファイルによって表される文書と更新内容データによって表される更新内容とが表示される。【選択図】図１
2009163654.tif 000002
【特許請求の範囲】
【請求項１】
文書の更新内容を表す更新内容データを文書ファイルに格納できる文書作成用ソフトウエアによって作成され，かつ文書を表す文書ファイルを入力する文書ファイル入力手段，
上記文書ファイル入力手段によって入力した文書ファイルから更新内容データを抽出する更新内容データ抽出手段，
表示装置を有する携帯電話からの文書ファイル・リクエストを受信する文書ファイル・リクエスト受信手段，ならびに
上記文書ファイル・リクエスト受信手段によって受信した文書ファイル・リクエストを送信した上記携帯電話に，上記文書ファイル入力手段から入力した文書ファイルおよび上記更新内容データ抽出手段によって抽出された更新内容データを送信する送信手段，
を備えた文書ファイル・サーバ。
【請求項２】
上記文書ファイル・リクエスト受信手段によって受信した文書ファイル・リクエストには上記携帯電話の機種を特定する機種情報が含まれており，
上記携帯電話が表示可能なフォーマットに上記機種情報に応じて，上記文書ファイル入力手段から入力した文書ファイルのフォーマットを変換する文書ファイル・フォーマット変換手段をさらに備え，
上記送信手段は，
上記文書ファイル・フォーマット変換手段によって変換された文書ファイルおよび上記更新内容データ抽出手段によって抽出された更新内容データを上記携帯電話に送信するものである，
請求項１に記載の文書ファイル・サーバ。
【請求項３】
上記更新内容データには，文書の更新内容のほかに更新日時を表す更新日時データも含まれており，
上記文書ファイル・リクエスト受信手段が受信した上記携帯電話の文書ファイル・リクエストの受信日時を記憶する受信日時記憶手段をさらに備え，
上記文書ファイル・リクエスト受信手段によって文書ファイル・リクエストを受信したことに応じて，上記更新内容データ抽出手段によって抽出された更新内容データのうち，上記携帯電話が最後に文書ファイル・リクエストを送信した日時以降の文書の更新内容を表す未送信更新内容データと上記文書ファイル入力手段から入力した文書ファイルとを上記携帯電話に送信するものである，
請求項２に記載の文書ファイル・サーバ。
【請求項４】
文書ファイル・サーバから送信された文書ファイルおよび更新内容データであって，文書の更新内容を表す更新内容データを文書ファイルに格納できる文書作成用ソフトウエアによって作成され，かつ文書を表す文書ファイルおよび文書ファイルから抽出された更新内容データを受信する受信手段，
上記受信手段において受信した文書ファイルによって表される文書のうち，上記受信手段において受信した更新内容データによって表される更新内容で更新された１または複数の更新頁を表示画面上に表示するように上記表示装置を制御する第１の表示制御手段，
上記第１の表示制御手段による制御のもと表示画面に表示された１または複数の更新頁の中から１つの更新頁を選択する更新頁選択手段，および
上記受信手段によって受信した更新内容データにもとづいて，上記選択手段によって選択された更新頁の１または複数の更新内容の少なくとも一部を表示画面に表示するように上記表示装置を制御する第２の表示制御手段，
を備えた携帯電話。
【請求項５】
上記第２の表示制御手段による制御のもと表示画面に表示された１または複数の更新内容の中から１つの更新内容を選択する更新内容選択手段，および
上記更新内容選択手段によって選択された更新内容の少なくとも一部を，上記更新頁選択手段によって選択された更新頁上の更新された部分に対応して表示するように上記表示装置を制御する第３の表示制御手段，
をさらに備えた請求項４に記載の携帯電話。
【請求項６】
詳細表示指令を入力する詳細表示指令入力手段，および
上記詳細表示指令入力手段から詳細表示指令が入力されたことに応じて，上記第３の表示制御手段による制御のもと更新頁上に表示されている更新内容を表示画面の全体にわたって表示するように上記表示装置を制御する第４の表示制御手段，
をさらに備えた請求項５に記載の携帯電話。
【請求項７】
上記第２の表示制御手段は，
上記受信手段によって受信された更新内容データにもとづいて，上記選択手段によって選択された更新頁を表示画面に表示し，かつ表示された更新頁上に，その更新頁の更新内容の少なくとも一部を，更新された部分に対応して表示するように上記表示装置を制御するものである，
請求項６に記載の携帯電話。
【請求項８】
文書ファイル入力手段が，文書の更新内容を表す更新内容データを文書ファイルに格納できる文書作成用ソフトウエアによって作成され，かつ文書を表す文書ファイルを入力し，
更新内容データ抽出手段が，上記文書ファイル入力手段によって入力した文書ファイルから更新内容データを抽出し，
文書ファイル・リクエスト受信手段が，表示装置を有する携帯電話からの文書ファイル・リクエストを受信し，
送信手段が，上記文書ファイル・リクエスト受信手段によって受信した文書ファイル・リクエストを送信した上記携帯電話に，上記文書ファイル入力手段から入力した文書ファイルおよび上記更新内容データ抽出手段によって抽出された更新内容データを送信する，
文書ファイル・サーバの動作方法。
【請求項９】
受信手段が，文書ファイル・サーバから送信された文書ファイルおよび更新内容データであって，文書の更新内容を表す更新内容データを文書ファイルに格納できる文書作成用ソフトウエアによって作成され，かつ文書を表す文書ファイルおよび文書ファイルから抽出された更新内容データを受信し，
第１の表示制御手段が，上記受信手段において受信した文書ファイルによって表される文書のうち，上記受信手段において受信した更新内容データによって表される更新内容で更新された１または複数の更新頁を表示画面上に表示するように上記表示装置を制御し，
更新頁選択手段が，上記第１の表示制御手段による制御のもと表示画面に表示された１または複数の更新頁の中から１つの更新頁を選択し，
第２の表示制御手段が，上記受信手段によって受信した更新内容データにもとづいて，上記選択手段によって選択された更新頁の１または複数の更新内容の少なくとも一部を表示画面に表示するように上記表示装置を制御する，
携帯電話の動作方法。
【請求項１０】
文書ファイル・サーバを制御するコンピュータ・プログラムであって，
文書の更新内容を表す更新内容データを文書ファイルに格納できる文書作成用ソフトウエアによって作成され，かつ文書を表す文書ファイルを入力させ，
入力した文書ファイルから更新内容データを抽出させ，
表示装置を有する携帯電話からの文書ファイル・リクエストを受信させ，
受信した文書ファイル・リクエストを送信した上記携帯電話に，入力した文書ファイルおよび抽出された更新内容データを送信させるように文書ファイル・サーバを制御するコンピュータ・プログラム。
【請求項１１】
携帯電話を制御するコンピュータ・プログラムであって，
文書ファイル・サーバから送信された文書ファイルおよび更新内容データであって，文書の更新内容を表す更新内容データを文書ファイルに格納できる文書作成用ソフトウエアによって作成され，かつ文書を表す文書ファイルおよび文書ファイルから抽出された更新内容データを受信させ，
受信した文書ファイルによって表される文書のうち，受信した更新内容データによって表される更新内容で更新された１または複数の更新頁を上記表示装置の表示画面上に表示させ，
表示画面に表示された１または複数の更新頁の中から１つの更新頁を選択させ，
受信した更新内容データにもとづいて，選択された更新頁の１または複数の更新内容の少なくとも一部を表示画面に表示するように上記表示装置を制御する携帯電話を制御するコンピュータ・プログラム。
【発明の詳細な説明】
【技術分野】
【０００１】
この発明は，画像サーバおよび携帯電話，それらの動作方法ならびにそれらを制御するコンピュータ・プログラムに関する。
【背景技術】
【０００２】
文書を作成するための文書作成用ソフトウエアには，様々な種類がある。文書作成用ソフトウエアを用いて作成された文書を表示するものにも多くのものがある（特許文献１，２）。
【特許文献１】特開2005-182735号公報
【特許文献２】特開2003-216520号公報
【０００３】
文書作成用ソフトウエアには，文書の更新内容を表す更新内容データを，作成した文書ファイルに格納できるものがある。文書ファイルを，パーソナル・コンピュータを用いて開くことにより，その文書ファイルの文書を見ることができる。文書ファイルに更新内容データが格納されている場合には，その更新内容データによって更新内容も確認できる。
【０００４】
しかしながら，携帯電話では，文書ファイルに更新内容データが格納されていても，その更新内容データを文書ファイルから抽出し，更新内容データによって表される更新内容を確認できないことが多い。
【発明の開示】
【０００５】
この発明は，文書ファイルに格納されている更新内容データによって表される更新内容を携帯電話で確認できるようにすることを目的とする。
【０００６】
第１の発明による文書ファイル・サーバは，文書の更新内容を表す更新内容データを文書ファイルに格納できる文書作成用ソフトウエアによって作成され，かつ文書を表す文書ファイルを入力する文書ファイル入力手段，上記文書ファイル入力手段によって入力した文書ファイルから更新内容データを抽出する更新内容データ抽出手段，表示装置を有する携帯電話からの文書ファイル・リクエストを受信する文書ファイル・リクエスト受信手段，ならびに上記文書ファイル・リクエスト受信手段によって受信した文書ファイル・リクエストを送信した上記携帯電話に，上記文書ファイル入力手段から入力した文書ファイルおよび上記更新内容データ抽出手段によって抽出された更新内容データを送信する送信手段を備えていることを特徴とする。
【０００７】
第１の発明は，上記文書ファイル・サーバの動作方法を提供している。すなわち，この方法は，文書ファイル入力手段が，文書の更新内容を表す更新内容データを文書ファイルに格納できる文書作成用ソフトウエアによって作成され，かつ文書を表す文書ファイルを入力し，更新内容データ抽出手段が，上記文書ファイル入力手段によって入力した文書ファイルから更新内容データを抽出し，文書ファイル・リクエスト受信手段が，表示装置を有する携帯電話からの文書ファイル・リクエストを受信し，送信手段が，上記文書ファイル・リクエスト受信手段によって受信した文書ファイル・リクエストを送信した上記携帯電話に，上記文書ファイル入力手段から入力した文書ファイルおよび上記更新内容データ抽出手段によって抽出された更新内容データを送信するものである。
【０００８】
第１の発明は，上記文書ファイル・サーバを制御するコンピュータ・プログラムも提供している。
【０００９】
上記文書ファイル・リクエスト受信手段によって受信した文書ファイル・リクエストには上記携帯電話の機種を特定する機種情報が含まれている場合には，上記携帯電話が表示可能なフォーマットに上記機種情報に応じて，上記文書ファイル入力手段から入力した文書ファイルのフォーマットを変換する文書ファイル・フォーマット変換手段をさらに備えてもよい。この場合，上記送信手段は，上記文書ファイル・フォーマット変換手段によって変換された文書ファイルおよび上記更新内容データ抽出手段によって抽出された更新内容データを上記携帯電話に送信するものとなろう。
【００１０】
上記更新内容データに，文書の更新内容のほかに更新日時を表す更新日時データも含まれている場合には，上記文書ファイル・リクエスト受信手段が受信した上記携帯電話の文書ファイル・リクエストの受信日時を記憶する受信日時記憶手段をさらに備えてもよい。この場合，上記文書ファイル・リクエスト受信手段によって文書ファイル・リクエストを受信したことに応じて，上記更新内容データ抽出手段によって抽出された更新内容データのうち，上記携帯電話が最後に文書ファイル・リクエストを送信した日時以降の文書の更新内容を表す未送信更新内容データと上記文書ファイル入力手段から入力した文書ファイルとを上記携帯電話に送信するものとなろう。
【００１１】
第２の発明は，上記第１の発明による文書ファイル・サーバから送信される文書ファイルおよび更新内容データを受信する携帯電話に関するものである。
【００１２】
第２の発明による携帯電話は，文書ファイル・サーバから送信された文書ファイルおよび更新内容データであって，文書の更新内容を表す更新内容データを文書ファイルに格納できる文書作成用ソフトウエアによって作成され，かつ文書を表す文書ファイルおよび文書ファイルから抽出された更新内容データを受信する受信手段，上記受信手段において受信した文書ファイルによって表される文書のうち，上記受信手段において受信した更新内容データによって表される更新内容で更新された１または複数の更新頁を表示画面上に表示するように上記表示装置を制御する第１の表示制御手段，上記第１の表示制御手段による制御のもと表示画面に表示された１または複数の更新頁の中から１つの更新頁を選択する更新頁選択手段，上記受信手段によって受信した更新内容データにもとづいて，上記選択手段によって選択された更新頁の１または複数の更新内容の少なくとも一部を表示画面に表示するように上記表示装置を制御する第２の表示制御手段を備えていることを特徴とする。
【００１３】
第２の発明は，上記携帯電話の動作方法も提供している。すなわち，この方法は，受信手段が，文書ファイル・サーバから送信された文書ファイルおよび更新内容データであって，文書の更新内容を表す更新内容データを文書ファイルに格納できる文書作成用ソフトウエアによって作成され，かつ文書を表す文書ファイルおよび文書ファイルから抽出された更新内容データを受信し，第１の表示制御手段が，上記受信手段において受信した文書ファイルによって表される文書のうち，上記受信手段において受信した更新内容データによって表される更新内容で更新された１または複数の更新頁を表示画面上に表示するように上記表示装置を制御し，更新頁選択手段が，上記第１の表示制御手段による制御のもと表示画面に表示された１または複数の更新頁の中から１つの更新頁を選択し，第２の表示制御手段が，上記受信手段によって受信した更新内容データにもとづいて，上記選択手段によって選択された更新頁の１または複数の更新内容の少なくとも一部を表示画面に表示するように上記表示装置を制御するものである。
【００１４】
第２の発明は，上記携帯電話を制御するコンピュータ・プログラムも提供している。
【００１５】
第１の発明によると，文書作成用ソフトウエアによって作成された文書ファイルが入力され，文書ファイルに格納されている更新内容データが抽出される。携帯電話から送信された文書ファイル・リクエストが受信されると，その携帯電話に文書ファイルと更新内容データとが送信される。
【００１６】
第２の発明によると，文書ファイル・サーバから送信された文書ファイルと更新内容データとが受信される。受信した文書ファイルによって表される文書のうち，受信した更新内容データによって表される更新内容で更新された１または複数の更新頁が携帯電話の表示装置の表示画面に表示される。１または複数の更新頁の中から１つの更新頁が選択される。選択された更新頁の更新内容の少なくとも一部が表示画面に表示される。文書の更新内容を携帯電話の表示画面に表示できるようになる。
【００１７】
上記第２の表示制御手段による制御のもと表示画面に表示された１または複数の更新内容の中から１つの更新内容を選択する更新内容選択手段，および上記更新内容選択手段によって選択された更新内容の少なくとも一部を，上記更新頁選択手段によって選択された更新頁上の更新された部分に対応して表示するように上記表示装置を制御する第３の表示制御手段をさらに備えてもよい。
【００１８】
詳細表示指令を入力する詳細表示指令入力手段，および上記詳細表示指令入力手段から詳細表示指令が入力されたことに応じて，上記第３の表示制御手段による制御のもと更新頁上に表示されている更新内容を表示画面の全体にわたって表示するように上記表示装置を制御する第４の表示制御手段をさらに備えてもよい。
【００１９】
上記第２の表示制御手段は，たとえば，上記受信手段によって受信された更新内容データにもとづいて，上記選択手段によって選択された更新頁を表示画面に表示し，かつ表示された更新頁上に，その更新頁の更新内容の少なくとも一部を，更新された部分に対応して表示するように上記表示装置を制御するものである。
【実施例】
【００２０】
図１は，この発明の実施例を示すもので，文書ファイル通信システムの概要である。
【００２１】
携帯電話30と文書ファイル・サーバ１とはインターネットを介して互いに通信可能である。携帯電話30には，メモリ・カード31が装填可能である。メモリ・カード31に携帯電話30の動作プログラムが格納されていると，メモリ・カード31から動作プログラムが読み取られて携帯電話30にインストールされる。後述するように，携帯電話30が動作する。文書ファイル・サーバ１には，CD-ROM（コンパクト・ディスク-リード・オンリ・メモリ）２が装填可能である。CD-ROM２に文書ファイル・サーバ１の動作プログラムが格納されていると，CD-ROM２から動作プログラムが読み取られて文書ファイル・サーバ１にインストールされる。もっとも，携帯電話30，文書ファイル・サーバ１のいずれもインターネットから動作プログラムをダウンロードして携帯電話30，文書ファイル・サーバ１にインストールできることはいうまでもない。
【００２２】
この実施例においては，パーソナル・コンピュータ20において，文書作成用ソフトウエアを用いて文書を表す文書ファイルが作成される。文書作成用ソフトウエアは，文書の更新情報を表す更新情報データを文書ファイルに格納できるものである。更新情報データが格納されている文書ファイルがパーソナル・コンピュータ20から文書ファイル・サーバ１に送信される。
【００２３】
パーソナル・コンピュータ20から送信された文書ファイルが文書ファイル・サーバ１において受信されると，文書ファイルから更新情報データが抽出される。抽出された更新情報データと文書ファイルとが文書ファイル・サーバ１から携帯電話30に送信される。携帯電話30において，文書ファイルによって表される文書と更新情報データによって表される更新情報とを確認できる。詳しくは，以下の説明によって明らかとなろう。
【００２４】
図２は，文書ファイル・サーバ１の電気的構成を示すブロック図である。
【００２５】
文書ファイル・サーバ１の全体の動作は，ＣＰＵ３によって統括される。
【００２６】
文書ファイル・サーバ１には，表示装置４，携帯電話30のアクセス日時等を計時する時計５，メモリ６などが含まれている。また，上述した文書ファイル等が書き込まれるハードディスク７，ハードディスク７に上述した文書ファイル等を書き込む，あるいは書き込まれている文書ファイル等をハードディスク７から読み出すハードディスク・ドライブ８，キーボードなどの入力装置９，メモリ・カード・インターフェイス10も含まれている。さらに，文書ファイル・サーバ１には携帯電話30等と通信するための通信回路11，CD-ROMドライブ12なども含まれている。
【００２７】
図３は，パーソナル・コンピュータ20から文書ファイル・サーバ１に送信された文書ファイルのファイル構造（データ構造）を示している。
【００２８】
文書ファイルには，ヘッダ記録領域15とデータ記録領域16とが含まれている。
【００２９】
ヘッダ記録領域15には，文書ファイルの管理情報などのヘッダ情報が記録されている。
【００３０】
データ記録領域16には，更新内容データ記録領域17と文書データ記録領域18とが含まれている。更新内容データ記録領域17には，作成された文書の少なくとも一部の削除，文書作成後の文章の挿入などの更新があった場合に，その更新日時，処理内容，更新内容，更新位置などの更新情報を表すデータが記録される。文書データ記録領域18には，最終更新後の文書を表すデータが記録される。
【００３１】
図４は，携帯電話30の電気的構成を示すブロック図である。
【００３２】
携帯電話30の全体の動作は，制御装置31によって統括される。
【００３３】
携帯電話30には，メモリ32，表示装置33，アンテナ34を介して文書ファイル・サーバ１などと通信するための通信回路35が含まれている。また，携帯電話30には，テン・キーパッドを含むキーパッド36，メモリ・カード・インターフェイス37も含まれている。さらに，携帯電話30には，音声を入力するためのマイクロフォン38，音声出力のためのスピーカ39，音声の入出力制御のための音声制御装置40も含まれている。
【００３４】
図５から図７は，文書ファイル通信システムの処理手順を示すフローチャートである。
【００３５】
パーソナル・コンピュータ20において，文書作成用ソフトウエアを用いて文書が作成され，その文書は複数回の更新が行われているものとする。そのような文書を表す文書ファイルがパーソナル・コンピュータ20から文書ファイル・サーバ１にアップロードされる（図５ステップ51）。
【００３６】
パーソナル・コンピュータ20からアップロードされた文書ファイルが文書ファイル・サーバ１において受信されると（図５ステップ61），その文書ファイルに格納されている更新情報データが抽出される（図５ステップ62）。受信された文書ファイルは，文書ファイル・サーバ１のハードディスク７の文書ファイル記憶領域に記憶される。また，抽出された更新情報データは，そのハードディスク７に記憶されている更新情報テーブルに格納される（図５ステップ63）。
【００３７】
図８は，更新情報テーブルの一例である。
【００３８】
更新情報テーブルは，上述のように文書ファイルに格納されている更新情報データを格納するものである。更新情報テーブルは，文書ファイルごとに生成されずに，文書ファイル・サーバ１において受信したすべての文書ファイルに格納されている更新情報データを記憶する。もっとも，文書ファイルに対応して別々の更新情報テーブルを生成するようにしてもよい。
【００３９】
更新情報テーブルには，ファイル名，更新日時，処理内容，更新内容，更新位置などが格納されている。ファイル名は，更新情報データが抽出された文書ファイルのファイル名である。更新日時は，文書が更新された日時である。処理内容は，文書の一部の削除，文書の一部の挿入など更新処理の内容である。更新内容は，削除された文章，挿入された文章などの文章そのものである。位置は，更新された部分の文書における位置を示す。この位置は，文書が更新されると，更新後の文書の位置とずれることとなるので，更新されたごとに更新後の文書の位置に書き換えられていることとなろう。
【００４０】
パーソナル・コンピュータ20から文書ファイル・サーバ１に文書ファイルがアップロードされた後に，パーソナル・コンピュータ20において，その文書ファイルが更新され，更新された文書ファイルがパーソナル・コンピュータ20から文書ファイル・サーバ１にアップロードされると，その文書ファイルの更新情報について更新情報テーブルは更新されることとなる。
【００４１】
文書ファイルによって表される文書を見たい携帯電話30のユーザは，携帯電話30を用いて文書ファイル・リクエストを文書ファイル・サーバ１に送信する（図７ステップ81）。
【００４２】
携帯電話30から送信された文書ファイル・リクエストは，文書ファイル・サーバ１において受信される（図５ステップ64でＹＥＳ）。文書ファイル・リクエストには，携帯電話30に固有の固有情報および携帯電話30の機種を示す機種情報が含まれている。文書ファイル・サーバ１において，文書ファイル・リクエストから固有情報および機種情報が読み取られる（図５ステップ65）。
【００４３】
文書ファイル・サーバ１のハードディスク７には，アクセス情報テーブルが格納されている。
【００４４】
図９は，アクセス情報テーブルの一例である。
【００４５】
アクセス情報テーブルには，携帯電話の固有情報，ファイル名（文書ファイル名），最終アクセス日時が格納されている。文書ファイル・サーバ１にアクセスした携帯電話30の最終アクセス日時（文書ファイル・リクエストの最終受信日時）が，携帯電話30の固有情報ごとに，かつ文書ファイル名ごとにアクセス情報テーブルに格納されている。
【００４６】
アクセス情報テーブルから，携帯電話30からリクエストした文書ファイルの最終アクセス日時が読み取られる（図６ステップ66）。携帯電話30によってリクエストされた文書ファイルの更新情報のうち，更新日時が最終アクセス日時以降の更新情報（未送信更新内容データ）が更新情報テーブルから読み取られる（図６ステップ67）。携帯電話30からのリクエストがはじめての文書ファイルについては，その文書ファイルについてのすべての更新情報が更新情報テーブルから読み取られるのはいうまでもない。もっとも，携帯電話30からリクエストがあった場合に，最終アクセス日時以降の更新情報だけでなく，最終アクセス日時以前の更新情報も更新情報テーブルから読み取り，携帯電話30に送信するようにしてもよい。
【００４７】
つづいて，リクエストされた文書ファイルによって表される文書が携帯電話30の表示装置33の表示画面に表示可能かどうかが，携帯電話30の機種情報にもとづいて確認される（図６ステップ68）。文書ファイルの種類によっては携帯電話30の表示画面に，その文書ファイルによって表される文書を表示できないことがある。リクエストされた文書ファイルによって表される文書が携帯電話30の表示画面に表示できない場合には（図６ステップ68でＮＯ），機種情報にもとづいて，携帯電話30の表示画面に表示可能なファイル（たとえば，文書を画像として表す画像ファイル）に変換される（図６ステップ69）。リクエストされた文書ファイルによって表される文書が携帯電話30の表示画面に表示できる場合には（図６ステップ68でＹＥＳ），ステップ69の処理はスキップされる。
【００４８】
つづいて，アクセス情報テーブルに格納されている最終アクセス日時のうち，携帯電話30およびリクエストされた文書ファイルのファイル名に対応した最終アクセス日時が更新される（図６ステップ70）。さらに，更新情報テーブルから抽出された更新情報から更新情報ファイルが生成される。この更新情報ファイルは，文書ファイルのファイル名（文書ファイルが変換された場合には，変換された文書ファイルのファイル名）と同じファイル名をもち拡張子が異なるものである。ファイル名を確認することにより，文書ファイルと，その文書ファイルに対応する更新情報ファイルとが分かる。
【００４９】
変換された変換済文書ファイル（変換前の文書ファイルによって表される文書を携帯電話30の表示画面に表示できない場合）または変換されない変換前文書ファイル（文書ファイルを変換しなくとも文書ファイルによって表される文書を携帯電話30の表示画面に表示できる場合）および更新情報ファイルが文書ファイル・サーバ１から携帯電話30に送信される（図６ステップ72）。
【００５０】
文書ファイル・サーバ１から送信された変換済文書ファイルまたは変換前文書ファイルおよび更新情報ファイルが携帯電話30において受信されると（図７ステップ82でＹＥＳ），文書ファイルによって表される文書および更新情報ファイルによって表される更新情報が携帯電話30の表示画面に表示される（図７ステップ83）。
【００５１】
図10および図11は，携帯電話30における文書，更新情報表示処理（図７ステップ83の処理）を示すフローチャートである。
【００５２】
文書ファイル・サーバ１から送信された変換済文書ファイルまたは変換前文書ファイルおよび更新情報ファイルが解析される（図10ステップ91）。変換済文書ファイルまたは変換前文書ファイルによって表される文書の全頁が縮小処理される（図10ステップ92）。縮小された文書の全頁が携帯電話30の表示画面に表示される（図10ステップ93）。
【００５３】
図12（Ａ）は，携帯電話30の表示画面110の一例である。
【００５４】
表示画面110には，上部にタイトル表示領域111が規定され，このタイトル表示領域111の下に表示画面110にわたって形成されている文書／更新情報表示領域112，この文書／更新情報表示領域112の下に頁／件数表示領域113，この頁／件数表示領域113の下終了領域114および更新頁一覧領域115が形成されている。
【００５５】
タイトル表示領域111は，文書ファイルのファイル名および文書／更新情報表示領域112に表示されている文書が全頁か，どの頁か，更新された頁か，更新情報かなどを表示する領域である。文書／更新情報表示領域112は，文書ファイルによって表される文書または更新情報を表示する領域である。頁／件数表示領域113は，文書／更新情報表示領域112に表示されている文書の頁数または更新情報の件数を表示する領域である。終了領域114は，文書の表示または更新情報の表示を終了する場合に選択される領域である。更新頁一覧領域115は，文書を構成する頁のうち更新された頁を表示する場合に選択される領域である。文書／更新情報表示領域112には，文書を構成する全ての頁が縮小されて表示されている（縮小頁121〜126）。文書ファイルが画像ファイルに変換されている場合には，画像のサムネイル画像を生成することにより縮小頁が得られるし，文書ファイルが変換されていない場合には文書に含まれる文字のフォント・サイズを小さくすることにより縮小頁が得られる。
【００５６】
携帯電話30のキーパッド36に含まれている上矢印ボタンまたは下矢印ボタンの押下に応じてカーソルが領域111〜115および縮小頁121〜126を囲むように移動する。キーパッド36に含まれている決定ボタンが押されると，カーソルで囲まれている領域にしたがった動作が行われる。更新頁一覧領域115がカーソルで囲まれている場合に決定ボタンが押されると，表示画面は図12（Ｂ）に示すものとなる（図10ステップ94でＹＥＳ）。
【００５７】
図12（Ｂ）を参照して，文書／更新情報表示領域112には，文書のうち更新された頁の縮小頁（もっとも必ずしも縮小されていなくともよく，更新された頁が表示されればよい）131〜134が表示されている（図10ステップ95）。また，終了領域114の右側には，全頁一覧領域116が表示されている。全頁一覧領域116が選択されると，表示画面110は，再び図12（Ａ）に示すものとなる。
【００５８】
更新された縮小頁131〜134のうちのいずれかの縮小頁（例えば，縮小頁131）が選択されると（図10ステップ96でＹＥＳ），表示画面110は図12（Ｃ）に示すものとなる。
【００５９】
図12（Ｃ）を参照して，文書／更新情報表示領域112には，選択された縮小頁に対応する文書の頁の更新情報を表示する更新情報表示領域141〜143が表示される（図10ステップ97）。更新情報表示領域141〜143のそれぞれの領域には，更新情報に含まれる処理内容，更新日時，更新内容が表示される。更新内容は，少なくとも一部が表示されるが，すべての更新内容が表示されるようにしてもよい。文書／更新情報表示領域112に表示されている更新情報表示領域141〜143の中から所望の更新情報が選択される（図11ステップ98でＹＥＳ）。すると，表示画面110は図12（Ｄ）に示すものとなる。
【００６０】
図12（Ｄ）を参照して，文書／更新情報表示領域112には，選択された縮小頁に対応する更新頁151が文書／更新情報表示領域112の全体にわたって表示されている。さらに，更新頁151の更新箇所のうち，選択された更新情報が，その選択された更新情報の更新部分に形成された更新情報表示領域152に表示されている（図11ステップ99）。文書／更新情報表示領域112の下には，詳細領域118および更新情報一覧領域119が形成されている。詳細領域118が選択されると，表示画面110は図12（Ｅ）に示すものとなる。更新情報一覧領域119が選択されると，表示画面110は図12（Ｃ）に示すものとなる。
【００６１】
詳細領域118が選択されると（図11ステップ100でＹＥＳ），図12（Ｅ）を参照して，選択された更新情報160が文書／更新情報表示領域112の全体にわたって表示されることとなる（図11ステップ101）。
【００６２】
このようにして，携帯電話30において文書の更新情報を見ることができるようになる。
【００６３】
上述の実施例においては，図12（Ｃ）に示す表示画面において更新情報表示領域141〜143のうちのいずれかの更新情報表示領域が選択されると，図12（Ｄ）に示すように選択された更新情報表示領域に表示されていた更新情報が，更新頁151上に表示されるが，図12（Ｄ）に示す表示をしないで，更新情報表示領域141〜143のうちのいずれかの更新情報表示領域が選択されると，その選択された更新情報を図12（Ｅ）に示すように，文書／更新情報表示領域112の全体にわたって表示するようにしてもよい。
【００６４】
図13は，表示画面110の他の例を示している。
【００６５】
上述した実施例においては，図12（Ｂ）に示す更新された縮小頁の中から所望の縮小頁が選択されると，その選択された縮小頁に対応する頁の更新情報が図12（Ｃ）に示すように，更新情報だけが表示領域141〜143に表示されている。これに対して，図13に示すものでは，選択された縮小頁に対応する頁170が表示され，かつその頁170上の更新位置に対応した位置に縮小された更新情報表示領域171〜173が表示される。縮小された更新情報表示領域171〜173のうちのいずれかの更新情報表示領域が選択されると，図12（Ｄ）に示すように，その選択された更新情報表示領域に対応した更新情報が拡大されて表示される。
【図面の簡単な説明】
【００６６】
【図１】文書ファイル通信システムの概要である。
【図２】文書ファイル・サーバの電気的構成を示すブロック図である。
【図３】文書ファイルのファイル構造である。
【図４】携帯電話の電気的構成を示すブロック図である。
【図５】文書ファイル通信システムの処理手順を示すフローチャートである。
【図６】文書ファイル通信システムの処理手順を示すフローチャートである。
【図７】文書ファイル通信システムの処理手順を示すフローチャートである。
【図８】更新情報テーブルの一例である。
【図９】アクセス情報テーブルの一例である。
【図１０】文書，更新情報表示処理手順を示すフローチャートである。
【図１１】文書，更新情報表示処理手順を示すフローチャートである。
【図１２】（Ａ）〜（Ｅ）は，表示画面の一例である。
【図１３】表示画面の一例である。
【符号の説明】
【００６７】
１  文書ファイル・サーバ
２  CD-ROM
３  ＣＰＵ
４，33  表示装置
11，35  通信回路
31  制御装置
【図１】
2009163654.tif 000003
【図２】
2009163654.tif 000004
【図３】
2009163654.tif 000005
【図４】
2009163654.tif 000006
【図５】
2009163654.tif 000007
【図６】
2009163654.tif 000008
【図７】
2009163654.tif 000009
【図８】
2009163654.tif 000010
【図９】
2009163654.tif 000011
【図１０】
2009163654.tif 000012
【図１１】
2009163654.tif 000013
【図１２】
2009163654.tif 000014
【図１３】
2009163654.tif 000015